(57)【特許請求の範囲】
【請求項１】
シリンダーの下面から、容器本体の底部に湾曲状態で届くように吸い上げパイプを延設し、該シリンダーの上面にはノズル付きスパウトを押圧動自在に取付け、ノズルの吐出方向と吸い上げパイプの下端の湾曲方向とを常に一致させるもので、少なくともネジキャップとスパウトとを備えたディスペンサー容器において、スパウトを二重壁構造に形成し、このスパウトの二重壁構造の中にネジキャップの上端を挿通し、このネジキャップの立ち上がり部の一部を切欠いて前記スパウトの二重壁を連通する挿通部を位置させることでノズル付きスパウトの回転を防止するようにしたことを特徴とするノズルの回り止め機構を有するディスペンサー容器。
【請求項２】
シリンダーの下面から、容器本体の底部に湾曲状態で届くように吸い上げパイプを延設し、該シリンダーの上面にはノズル付きスパウトを押圧動自在に取付け、ノズルの吐出方向と吸い上げパイプの下端の湾曲方向とを常に一致させるもので、少なくともネジキャップとスパウトとを備えたディスペンサー容器において、ネジキャップを二重壁構造に形成し、このネジキャップの二重壁構造の中にスパウトの垂設部の下端を挿通し、このスパウトの垂設部の一部を切欠いて前記ネジキャップの二重壁を連通する挿通部を位置させることでノズル付きスパウトの回転を防止するようにしたことを特徴とするノズルの回り止め機構を有するディスペンサー容器。
【請求項３】
シリンダーの下面から、容器本体の底部に湾曲状態で届くように吸い上げパイプを延設し、該シリンダーの上面にはノズル付きスパウトを押圧動自在に取付け、ノズルの吐出方向と吸い上げパイプの下端の湾曲方向とを常に一致させるもので、少なくともネジキャップと、スパウトと、リング部材を備えたディスペンサー容器において、リング部材を少なくとも二重壁構造に形成し、このリング部材の二重壁構造の中にネジキャップの立ち上がり部の上端を挿通し、このネジキャップの立ち上がり部の一部を切欠いて前記リング部材の二重壁を連通する挿通部を位置させることでノズル付きスパウトの回転を防止するようにしたことを特徴とするノズルの回り止め機構を有するディスペンサー容器。
【請求項４】
シリンダーの下面から、容器本体の底部に湾曲状態で届くように吸い上げパイプを延設し、該シリンダーの上面にはノズル付きスパウトを押圧動自在に取付け、ノズルの吐出方向と吸い上げパイプの下端の湾曲方向とを常に一致させるもので、少なくともネジキャップと、スパウトと、リング部材を備えたディスペンサー容器において、ネジキャップを少なくとも二重壁構造に形成し、このネジキャップの二重壁構造の中にリング部材の垂設部の下端を挿通し、このリング部材の垂設部の一部を切欠いて前記ネジキャップの二重壁を連通する挿通部を位置させることでノズル付きスパウトの回転を防止するようにしたことを特徴とするノズルの回り止め機構を有するディスペンサー容器。
【発明の詳細な説明】
【０００１】
【産業上の利用分野】
本発明は、スパウトの押圧操作により、スパウト先端に取り付けたノズルより乳液や化粧水等の化粧品を吐出させるディスペンサー容器に関し、さらに詳しくは化粧品等の使用の最終段階に当たり、容器の構造上の理由から、容器内に取り残されてしまう化粧品の残量を少なくするノズルの回り止め機構を有するディスペンサー容器に関する。
【０００２】
【従来の技術】
一般にディスペンサー容器の基本形態の一つ（第１基本形態）としては、シリンダー（タンク兼用）と一体になるネジキャップと、ノズル付きスパウトと、瓶型の容器本体とから構成され、容器本体内の口部付近に前記シリンダーを位置させ、該シリンダーの下面に吸い上げパイプを延設し、そのシリンダーの上面には常時上方に付勢されるノズル付きスパウトが設けられている。
また別の基本形態（第２基本形態）としては、上記の第１基本形態にリング部材と称される部材が別途加えられたものが存在する。
【０００３】
上記シリンダーは、ネジキャップを容器本体のネジ部にネジ嵌合することにより容器本体に取り付けられる。
さらにこのシリンダーはポンプ機能を有しているため、スパウトを指先等で押し込んで押圧作動させると、シリンダー内が減圧されて容器本体内の化粧品が吸い上げパイプを経由してシリンダー内に貯留され、ついで一旦シリンダー内に貯留された化粧品がステム経由でノズルより勢いよく吐出することになる。
【０００４】
一般にディスペンサー容器の吸い上げパイプは可撓性素材で形成され、容器本体内に充填された化粧品を完全に取り出せるようにする目的から、その長さ寸法を充分に長く確保してあり、その結果吸い上げパイプの先端は容器本体の底部に当接して横方向に曲がり、その曲がり方向は容器本体底部の隅部方向に向けられていた。
【０００５】
また従来のものは、ノズルの吐出方向と、吸い上げパイプ下端の湾曲方向とを常に一致させる手段が講ぜられておらず、この場合には容器内の取り残し残量が増えてしまう。
【０００６】
【発明が解決しようとする課題】
上述の通り、ディスペンサー容器中の使用残しとなる中味残量を低減させるためには、その前提としてノズルとパイプの位置合わせ機構が必要となり、その際には、その位置合わせ機構でノズルが不用意に回ることを防止しなければならない。
【０００７】
ところで、ノズルの回転を防止させる手段としては、従来から凸リブと凹溝をはめ合わせる嵌合方式が利用されていたが、このような構成において凸リブの角部がつぶれたりすると、ノズルの回転防止効果が低下してしまうという問題があった。
【０００８】
本発明は、上記の問題点を解消したノズルの回り止め機構を有するディスペンサー容器を提供することを目的とするものである。
【０００９】
【課題を解決するための手段】
上記課題を解決するために、請求項１に記載したノズルの回り止め機構を有するディスペンサー容器は、
シリンダーの下面から、容器本体の底部に湾曲状態で届くように吸い上げパイプを延設し、該シリンダーの上面にはノズル付きスパウトを押圧動自在に取付け、ノズルの吐出方向と吸い上げパイプの下端の湾曲方向とを常に一致させるもので、少なくともネジキャップとスパウトとを備えたディスペンサー容器において、スパウトを二重壁構造に形成し、このスパウトの二重壁構造の中にネジキャップの上端を挿通し、このネジキャップの立ち上がり部の一部を切欠いて前記スパウトの二重壁を連通する挿通部を位置させることでノズル付きスパウトの回転を防止するようにしたことを特徴とする。
【００１０】
また請求項２に記載したノズルの回り止め機構を有するディスペンサー容器は、シリンダーの下面から、容器本体の底部に湾曲状態で届くように吸い上げパイプを延設し、該シリンダーの上面にはノズル付きスパウトを押圧動自在に取付け、ノズルの吐出方向と吸い上げパイプの下端の湾曲方向とを常に一致させるもので、少なくともネジキャップとスパウトとを備えたディスペンサー容器において、ネジキャップを二重壁構造に形成し、このネジキャップの二重壁構造の中にスパウトの垂設部の下端を挿通し、このスパウトの垂設部の一部を切欠いて前記ネジキャップの二重壁を連通する挿通部を位置させることでノズル付きスパウトの回転を防止するようにしたことを特徴とする。
【００１１】
また請求項３に記載したノズルの回り止め機構を有するディスペンサー容器は、シリンダーの下面から、容器本体の底部に湾曲状態で届くように吸い上げパイプを延設し、該シリンダーの上面にはノズル付きスパウトを押圧動自在に取付け、ノズルの吐出方向と吸い上げパイプの下端の湾曲方向とを常に一致させるもので、少なくともネジキャップと、スパウトと、リング部材を備えたディスペンサー容器において、リング部材を少なくとも二重壁構造に形成し、このリング部材の二重壁構造の中にネジキャップの立ち上がり部の上端を挿通し、このネジキャップの立ち上がり部の一部を切欠いて前記リング部材の二重壁を連通する挿通部を位置させることでノズル付きスパウトの回転を防止するようにしたことを特徴とする。
【００１２】
また請求項４に記載したノズルの回り止め機構を有するディスペンサー容器は、シリンダーの下面から、容器本体の底部に湾曲状態で届くように吸い上げパイプを延設し、該シリンダーの上面にはノズル付きスパウトを押圧動自在に取付け、ノズルの吐出方向と吸い上げパイプの下端の湾曲方向とを常に一致させるもので、少なくともネジキャップと、スパウトと、リング部材を備えたディスペンサー容器において、ネジキャップを少なくとも二重壁構造に形成し、このネジキャップの二重壁構造の中にリング部材の垂設部の下端を挿通し、このリング部材の垂設部の一部を切欠いて前記ネジキャップの二重壁を連通する挿通部を位置させることでノズル付きスパウトの回転を防止するようにしたことを特徴とする。
【００１３】
【発明の実施の形態】
本発明では、ディスペンサー容器のスパウトが、いわゆるブリッジ結合（回転防止機構）により容器本体との関係で回転しない構成となっているため、スパウトと実質的に一体になるノズルも同様に回転しないこととなる。
【００１４】
この状態で、ネジキャップを容器本体のネジ部にネジ嵌合して緊締固定することにより、ノズルが不用意に回転しない回り止め機構が完成する。
【００１５】
【実施例】
以下、本発明を図面の実施例により具体的に説明するが、本発明はこれらに限定されるものではない。
【００１６】
図１乃至図３は第１基本形態における本発明のディスペンサー容器を示したものであり、図１はディスペンサー容器の正面図、図２は図１の要部縦断面図、図３は前図のＡ−Ａ線断面図であり、容器本体１は透明、半透明又は不透明の何れの素材で形成されてもよく、その横断面形状は通常円形又は楕円形状を呈している。
【００１７】
本発明のディスペンサー容器は、この容器本体１の開口部付近に、シリンダー２を位置させ、このシリンダー２の下面には吸い上げパイプ３が延設される。
【００１８】
吸い上げパイプ３の下端３ａは、容器本体１の底部１ａ付近で湾曲され、例えば横断面楕円形状の容器の場合には、容器本体１の長径方向隅部４に湾曲状態で届いており、その湾曲方向はノズル７の吐出方向と一致している。中味の化粧品を取り出すために、ノズルの吐出方向に容器本体を傾けると、集められた化粧品を最後の一滴まで取り出すことが可能となる。ここで説明した吸い上げパイプ３の素材はある程度の保型性のある素材を採用しているので、予め湾曲形成しておくと通常の使用状態ではその湾曲形状を充分保持できることになる。
【００１９】
またシリンダー２の上面には、スパウト５（ノズル７と一体形成される場合、及び別体形成される場合とがあるが、実質的に一体となるものであればいずれでもよい）が取り付けられており、このスパウト５は下部に連接したステム１１に係止されるスプリング６により常時上方に付勢されているため、スパウト５を下方に押圧するとスプリング６が圧縮されて、押圧力が解除された際にスパウト５を上方に押し戻すための弾発力が蓄えられる。
【００２０】
さらにスパウト５の上部付近には、内容物を吐出するためのノズル７が取り付けられており、このノズル７の吐出方向は吸い上げパイプ３の下端３ａの湾曲方向と常に一致するようにセットされている。
【００２１】
ここで本発明の要部である回り止め機構（ブリッジ結合）について述べると、図３に示すように、スパウト５及びネジキャップ８を二重壁構造で形成し、このネジキャップ８の二重壁の中にスパウト５の二重壁の内筒の下端を挿入させ、ネジキャップ８の内筒の一部を切欠いて前記スパウト５の二重壁を連通する挿通部１０を、ネジキャップ８の内筒を横切ってスパウト５の二重壁間に掛け渡すことで完成する。
【００２２】
この挿通部１０を備えたブリッジ結合は、通常一か所に設ければ充分ではあるが、必要に応じて複数カ所に設けるようにしてもよい。
またスパウト５とネジキャップ８の関係を、逆にした構成とすることももちろん可能である。
【００２３】
さらに別の実施態様として、請求項１に記載した発明において、例えばネジキャップの立ち上がり部を内筒と外筒の二重壁に形成しておくと、ネジキャップの外筒の存在により、ディスペンサー外部からかぶせられる水をディスペンサー内部に侵入するのを防止できたり、ネジキャップ内筒に形成した切欠き部の目隠し効果が出たり、又はこの切欠き部に外部から物が衝突して切欠き部を破損させたりすることを防止できる等の効果がある。
【００２４】
次に図４乃至図８は第２基本形態における本発明のディスペンサー容器の一例を示したものであり、図４はディスペンサー容器の正面図、図５は同平面図、図６は図４の要部縦断面図、図７は前図のＢ−Ｂ線断面図、図８は同Ｃ−Ｃ線断面図である。
【００２５】
第２基本形態は、第１基本形態にリング部材２０が加わったものである。
この場合の回り止め機構（ブリッジ結合）について述べると、図８に示すように、リング部材２０を例えば三重壁構造で形成し、三重壁の最外側から二重の壁構造の中にネジキャップ８の立ち上がり部の上端を挿入させ、そのネジキャップ８の立ち上がり部の一部を切欠いて前記リング部材２０の二重壁を連通する挿通部１０を、ネジキャップ８を横切ってリング部材２０の二重壁間に掛け渡すことで完成する。
【００２６】
上述の如く、回り止め機構（ブリッジ結合）の形成の方法は種々存するが、いずれにしても、結合すべき二部材の一方の部材に形成した挿通部１０が、他方の部材を横切る形で両部材を組立てることになるため、相互の二部材は相互に回転することがなくなる。
【００２７】
第２形態においても挿通部１０を備えた回り止め機構（ブリッジ結合）は、通常一か所に設ければ充分ではあるが、必要に応じて複数カ所に設けるようにしてもよい。
またネジキャップ８とリング部材２０との関係を逆にした構成とすることももちろん可能である。
【００２８】
【発明の効果】
よって本発明のノズルの回り止め機構を有するディスペンサー容器によれば、いわゆるブリッジ結合という簡単な構成を採用するだけで、予め位置合わせを行ったノズルを不用意に回さないという優れた効果を具有する。
またブリッジ結合を使用すべき箇所は、必要に応じて随時変えればよいので、利用範囲が大変広いという特徴がある。
【図面の簡単な説明】
【図１】  本発明の第１基本形態のディスペンサー容器の正面図である。
【図２】  前図の要部縦断面図である。
【図３】  前図のＡ−Ａ線断面図である。
【図４】  本発明の第２基本形態のディスペンサー容器の正面図である。
【図５】  同平面図である。
【図６】  前図の要部縦断面図である。
【図７】  前図のＢ−Ｂ線断面図である。
【図８】  同Ｃ−Ｃ線断面図である。
【符号の説明】
１  容器本体
１ａ  容器本体の底部
２  シリンダー
３  吸い上げパイプ
３ａ  吸い上げパイプの下端
４  容器本体の長径方向隅部
５  スパウト
６  スプリング
７  ノズル
８  ネジキャップ
９  容器本体のネジ部
１０  挿通部
１１  ステム
２０  リング部材
【図１】
0003889088.tif 000002
【図２】
0003889088.tif 000003
【図３】
0003889088.tif 000004
【図４】
0003889088.tif 000005
【図５】
0003889088.tif 000006
【図６】
0003889088.tif 000007
【図７】
0003889088.tif 000008
【図８】
0003889088.tif 000009